(57)【要約】      （修正有）【課題】電子装置への電源供給の有無に関わらず、電子装置内の状態監視を、より安価に、より効率的に行うことができる電子装置を提供する。【解決手段】電子装置１００は、無通電表示保持装置３０と、複数の監視対象に関連付けられた複数の無線ＩＣタグ２０と、監視データを監視するＢＭＣ１０を備える。ＢＭＣ１０内の監視制御部は、監視対象を監視し、監視対象に関連付けられた無線ＩＣタグに監視情報を記憶させ、監視情報を無通電表示保持装置に表示させる。【選択図】図１
2015069221.tif 000002
【特許請求の範囲】
【請求項１】
無通電表示保持装置と、
複数の監視対象に関連付けられた複数の無線ＩＣタグと、
前記監視対象を監視し、関連付けられた前記無線ＩＣタグに監視情報を記憶させ、前記監視情報を前記無通電表示保持装置に表示させる監視制御部を備える電子装置。
【請求項２】
前記電子装置を構成する１つの構成装置、複数の前記構成装置を１つのグループとする１つの監視グループ、前記電子装置を複数のエリアに分割した１つの監視エリア、前記監視情報における１種類の監視データ、のいずれかを１つの前記監視対象とし、１つの前記無線ＩＣタグを関連付ける
ことを特徴とする請求項１に記載の電子装置。
【請求項３】
前記監視制御部はさらに前記無線ＩＣタグの設置位置を記憶し、設置レイアウトを前記無通電表示保持装置に表示させる
ことを特徴とする請求項１または請求項２に記載の電子装置。
【請求項４】
前記監視制御部は正常でないと判定すると、前記無線ＩＣタグ毎に累積回数として記憶し、
正常でないと判定した前記無線ＩＣタグとともに前記最新日時および前記累積回数を前記無通電表示保持装置に表示させる
ことを特徴とする請求項１乃至請求項３に記載の電子装置。
【請求項５】
前記監視制御部は重大な異常発生の条件を満たすと、前記異常発生の表示を変更させる
ことを特徴とする請求項１乃至請求項４に記載の電子装置。
【請求項６】
前記累積回数が所定の回数を超える、単位時間における前記異常発生が所定の回数を超える、前記監視データの値が正常な値を大幅に超える、のうちのいづれかに該当する場合に、前記重大な異常発生の条件を満たすと判定する
ことを特徴とする請求項５に記載の電子装置。
【請求項７】
前記監視制御部は正常でない場合に、関連付けられた前記無線ＩＣタグに前記監視情報を記憶させる
ことを特徴とする請求項１乃至請求項６に記載の電子装置。
【発明の詳細な説明】
【技術分野】
【０００１】
本発明は、電子装置内の無線ＩＣタグを使用しての状態監視に関する。
【背景技術】
【０００２】
電子装置の保守を行う上で、その電子装置の構成装置を監視することは重要な要素の１つである。例えば、電子装置が故障した際に、故障部位や故障原因などを特定するのに時間がかかるため、構成装置の動作や温度などの履歴を記録し、その記録であるログデータを参考にすることで、故障部位や故障原因を特定する時間を短縮している。また、定期保守において、異常な状態が発生したか否かをログデータで確認したりして、必要に応じて装置を交換したりする。
【０００３】
電子装置への電源供給の有無に関わらず、ログデータを取得する手段が特許文献１に開示されている。
【０００４】
特許文献１には、無線送受信制御装置と、アンテナと、無線ＩＣタグを備えた装置と、で構成し、マザーボードを制御するＢＭＣ（Ｂａｓｅｂｏａｒｄ  Ｍａｎａｇｅｍｅｎｔ  Ｃｏｎｔｒｏｌｌｅｒ）で解析した結果を、無線送受信制御装置およびアンテナを介して、各装置の無線ＩＣタグに送信し、無線ＩＣタグにログデータを記録し、外部無線モジュールで無線ＩＣタブのログデータを取得する手段が開示されている。
【先行技術文献】
【特許文献】
【０００５】
【特許文献１】特開２００６−１２７３２４
【発明の概要】
【発明が解決しようとする課題】
【０００６】
しかしながら、電子装置内の状態監視を、より安価に、より効率的に行いたい要望がある。
【０００７】
特許文献１は無線送受信制御装置およびアンテナが必要であり、高価であった。また、初期において、無線ＩＣタグへの書き込みが可能であるか、など無線の電波状態を確認する必要があった。また、障害発生の履歴の有無はログデータを外部モジュールで取得して表示する必要があった。
【０００８】
これらを鑑み、本発明の目的は、電子装置への電源供給の有無に関わらず、電子装置内の状態監視を、より安価に、より効率的に行うことができる電子装置を提供することである。
【課題を解決するための手段】
【０００９】
本発明の電子装置は無通電表示保持装置と、複数の監視対象に関連付けられた複数の無線ＩＣタグと、前記監視対象を監視し、関連付けられた前記無線ＩＣタグに監視情報を記憶させ、前記監視情報を前記無通電表示保持装置に表示させる監視制御部を備える。
【発明の効果】
【００１０】
本発明によれば、電子装置への電源供給の有無に関わらず、電子装置内の状態監視を、より安価に、より効率的に行うことができる。
【図面の簡単な説明】
【００１１】
【図１】本発明の実施形態である電子装置１００の構成例を示す図である。
【図２】監視記憶部１３の記憶例を示す図である。
【図３】監視記憶部１３の記憶例を示す図である。
【図４】監視記憶部１３の記憶例を示す図である。
【図５】電子装置１００の構成例を示す図である。
【図６】電子装置１００の構成例を示す図である。
【図７】ＢＭＣ１０内の監視制御部１１の構成例を示す図である。
【図８】監視制御部１１の処理例を示すフローチャートである。
【図９】監視制御部１１の処理例を示すフローチャートである。
【図１０】電子ペーパの表示例である。
【図１１】電子装置１００の構成例を示す図である。
【図１２】電子ペーパの表示例である。
【発明を実施するための形態】
【００１２】
以下に、本発明を実施するための形態について図面を用いて説明する。但し、以下に述べる実施形態には、本発明を実施するために技術的に好ましい限定がされているが、発明の範囲を限定するものではない。
【００１３】
図１は本発明の実施形態である電子装置１００の構成例を示す図である。
【００１４】
電子装置１００は、監視データを監視するＢＭＣ（Ｂａｓｅｂｏａｒｄ  Ｍａｎａｇｅｍｅｎｔ  Ｃｏｎｔｒｏｌｌｅｒ）１０と、監視情報を記憶する無線ＩＣタグ２０（２０Ａ〜２０Ｅ）と、無線ＩＣタグの設置レイアウトなどを表示する電子ペーパ３０と、を備える。図１の例では、このほかに、１つの独立した装置であり、監視対象である構成装置４０（４０Ａ〜４０Ｅ）と、信号の伝達経路である信号回路５０と、を備え、信号回路５０を介して監視データが送信され、無線ＩＣタグに書き込まれる。監視データは、温度、電圧、電流、一時的な書き込みエラーなどであり、構成装置４０により監視データは異なる。
【００１５】
無線ＩＣタグ２０は、監視対象に対して関連付けられ、次に説明する監視記憶部１３に記憶される。
【００１６】
監視対象は、電子装置１００を構成する構成装置４０、複数の構成装置４０を１つのグループとする監視グループ、監視情報における監視データ、などが考えられる。
【００１７】
図２〜図４は監視記憶部１３に記憶されている無線ＩＣタグとの関連付けの例を示す図である。タグ座標は電子ペーパ上に表示する無線ＩＣタグの中心座標を示す。
【００１８】
図２は、構成装置４０に対する関連付けを示し、構成装置４０毎に各々１つの無線ＩＣタグ２０を設けた例であり、電子装置１００の構成例は図１のようになる。
【００１９】
図３は、監視グループに対する関連付けを示し、電子装置１００内の位置に応じてグループ分けし、監視グループ毎に各々１つの無線ＩＣタグ２０を設けた例であり、電子装置１００の構成例は図５のようになる。
【００２０】
図４は、監視データに対する関連付けを示し、監視データの種類毎に、各々１つの無線ＩＣタグ２０を設けた例であり、電子装置１００の構成例は図６のようになる。
【００２１】
図７は、ＢＭＣ１０内の監視制御部１１の構成例を示す図である。
【００２２】
ＢＭＣ１０内の監視制御部１１は、監視データを監視する状態監視部１２と、無線ＩＣタグの関連付けなどを記憶する監視記憶部１３と、無線ＩＣタグに対する書き込み処理を行う書込処理部１４と、電子ペーパに対する表示処理を行う表示処理部１５と、を備える。
【００２３】
監視制御部１１における処理について説明する。
【００２４】
図８は、監視制御部１１の処理例を示すフローチャートである。
【００２５】
状態監視部１２は、構成装置４０が動作する毎に構成装置４０の監視データを受信して監視し（Ｓ１１）、正常でない場合は、表示処理部１５に指示し、表示処理部１５は電子ペーパに異常発生を表示する（Ｓ１２）。なお、常時動作しているセンサ類であれば、構成装置４０が周期を管理して監視データを送信したり、状態監視部１２が周期を管理して監視データの送信を要求し、要求に対して構成装置４０が監視データを送信したり、する。
【００２６】
次に、状態監視部１２は書込処理部１４に指示し、書込処理部１４は無線ＩＣタグに監視情報を記憶させる（Ｓ１３）。
【００２７】
次に、状態監視部１２は重大な異常か否かを判定（Ｓ１４）し、重大な異常であれば、表示処理部１５に指示し、表示処理部１５は電子ペーパに重大異常を表示する（Ｓ１５）。
【００２８】
例えば、異常の累積回数が所定の回数を超えたり、単位時間における異常が所定の回数を超えたり、監視データの値が正常な値を大幅に超えたり、する場合などに、状態監視部１２は重大な異常発生と判定する。なお、正常か否かを判定する条件と重大な異常発生を判定する条件とは、監視記憶部１３が記憶している。
【００２９】
ここで、図９に示すように、監視データが正常でない場合にのみ、無線ＩＣタグに記憶させることができる。
【００３０】
電子ペーパについて説明する。
【００３１】
電子ペーパは表示内容を切り替える際には電源が必要であるが、表示内容を保持する際には電源が不要な無通電表示保持装置である。電子ペーパと無線ＩＣタグとを一体とすることができる。また、表示内容の保持に電源が不要であれば、電子ペーパでなくともよい。
【００３２】
図１０は、電子ペーパの表示例である。
【００３３】
無線ＩＣタグの設置レイアウトと、異常発生３１ａと、重大な異常発生３１ｂを表示している。
【００３４】
異常発生の表示は、図１０に示すように、異常発生の最新日時とその累積回数を表示し、重大な異常発生の場合は、さらに色を変化させている。
【００３５】
監視対象は、電子装置１００を複数の監視エリアに分割したエリア単位とすることができる。
【００３６】
図１１は電子装置１００を複数の監視エリア（エリアＰ〜エリアＳ）に分割し、エリア単位に監視する例を示す図である。
【００３７】
電子装置１００はエリアに応じて無線ＩＣタグ２０（２０Ｐ〜２０Ｓ）を配置し、例えば、温度センサをエリア毎にまとめて、無線ＩＣタグ２０に監視情報を記憶させ、重大な異常発生時に図１２のように表示することができる。
【００３８】
以上のように、監視情報を複数に分散させて記憶させ、表示状態の維持に電源が不要な電子ペーパなどを使用して異常発生の履歴を記憶している無線ＩＣタグを表示することで、例えば、故障発生時や定期保守時において、ログデータを取得する無線ＩＣタグを限定することができるため、全てのログデータを取得する必要がなく、保守作業の工数を小さくすることができる。また、設置初期における電波状態の確認工数を不要とすることができる。また、無線送受信制御装置およびアンテナを不要とすることができる。
【００３９】
したがって、電子装置への電源供給の有無に関わらず、電子装置内の監視を、より安価に、より効率的に行うことができる。
【符号の説明】
【００４０】
１０    ＢＭＣ
１１    監視制御部
１２    状態監視部
１３    監視記憶部
１４    書込処理部
１５    表示処理部
２０    無線ＩＣタグ
３０    電子ペーパ
４０    構成装置
１００    電子装置
【図１】
2015069221.tif 000003
【図２】
2015069221.tif 000004
【図３】
2015069221.tif 000005
【図４】
2015069221.tif 000006
【図５】
2015069221.tif 000007
【図６】
2015069221.tif 000008
【図７】
2015069221.tif 000009
【図８】
2015069221.tif 000010
【図９】
2015069221.tif 000011
【図１０】
2015069221.tif 000012
【図１１】
2015069221.tif 000013
【図１２】
2015069221.tif 000014